(57)【要約】【課題】  カートリッジ本体を構成する少なくとも一方のハーフを二色モールド成型体としたときに、ゲート痕等が外観上現れないようにし、見栄えを良くする。【解決手段】  光ディスク２と、光ディスク２を回転可能に収納するとともに、ヘッド用開口部１３が設けられたカートリッジ本体５を備える。カートリッジ本体５は、一対のハーフ３，４を突き合わせ結合されてなり、下ハーフ４は、不透明な第１の合成樹脂により成型された外枠４ａ内に、透明な第２の合成樹脂により成型された透明板４ｂを配設した二色モールド成型体である。透明板４ｂには、アンカー片３５，３６が外側に突出して形成されている。【選択図】  図４
2006172521.tif 000002
【特許請求の範囲】
【請求項１】
ディスクと、
上記ディスクを回転可能に収納するとともに、上記ディスクの一部を内外周に亘って外方に臨ませる記録及び／又は再生用開口部が設けられたカートリッジ本体を備え、
上記カートリッジ本体は、一対のハーフを突き合わせ結合されてなり、
上記少なくとも一方のハーフは、第１の合成樹脂により成型された外枠内に、第２の合成樹脂により成型された主面板を配設した二色モールド成型体であり、
上記主面板には、アンカー片が外側に突出して形成されていることを特徴とするディスクカートリッジ。
【請求項２】
上記記録及び／又は再生用開口部は、上記カートリッジ本体の記録及び／又は再生装置への挿入端側に設けられ、
上記アンカー片は、上記記録及び／又は再生用開口部とは反対側に形成されていることを特徴とする請求項１記載のディスクカートリッジ。
【請求項３】
上記カートリッジ本体は、上記記録及び／又は再生装置への挿入端側が円弧状をなすように形成されていることを特徴とする請求項１記載のディスクカートリッジ。
【請求項４】
上記一方のハーフの略中央部には、上記記録及び／又は再生用開口部と非連続に、上記ディスクを回転する駆動部用開口部が形成されていることを特徴とする請求項１記載のディスクカートリッジ。
【請求項５】
上記アンカー片に、上記主面板を成型する際のゲート部が形成されていることを特徴とする請求項１記載のディスクカートリッジ。
【請求項６】
上記外枠の上記アンカー片の近傍に、上記外枠を成型する際のゲート部が形成されていることを特徴とする請求項１記載のディスクカートリッジ。
【請求項７】
上記主面板は、透明又は半透明に形成されていることを特徴とする請求項１記載のディスクカートリッジ。
【発明の詳細な説明】
【技術分野】
【０００１】
本発明は、カートリッジ本体が二色モールド成型された光ディスク等のディスクを収納したディスクカートリッジに関する。
【背景技術】
【０００２】
記録媒体を収納するカートリッジ本体を二色モールド成型したものとして下記特許文献１がある。例えば、カートリッジ本体を構成する一方のハーフは、略透明の主面板を不透明の外枠に結合するようにして構成される。合成樹脂をモールド成型する場合には、必ず成型品に、ゲート痕が発生する。このゲート痕は、見栄えを悪化させるため、外観上見えない又は目立たないようにする必要がある。また、二色モールド成型をする際には、最初に内側の部材を成型し、次いで外枠を成型する。したがって、内側の部材を成型した後に内側の部材を可動金型に保持させて外枠を成型する固定金型に移動させる必要がある。
【０００３】
【特許文献１】特許第３１８２８６５号公報
【発明の開示】
【発明が解決しようとする課題】
【０００４】
本発明の目的は、上述したような従来のディスクカートリッジが有する問題点を解決することができる新規なディスクカートリッジを提供することにある。
【０００５】
本発明の他の目的は、カートリッジ本体を構成する少なくとも一方のハーフを二色モールド成型体としたときに、アンカー片やゲート痕等が外観上現れないようにし、見栄えを良くすることができるディスクカートリッジを提供することにある。
【課題を解決するための手段】
【０００６】
本発明に係るディスクカートリッジは、ディスクと、上記ディスクを回転可能に収納するとともに、上記ディスクの一部を内外周に亘って外方に臨ませる記録及び／又は再生用開口部が設けられたカートリッジ本体を備える。上記カートリッジ本体は、一対のハーフを突き合わせ結合されてなる。上記少なくとも一方のハーフは、第１の合成樹脂により成型された外枠内に、第２の合成樹脂により成型された主面板を配設した二色モールド成型体である。上記主面板には、アンカー片が外側に突出して形成されている。
【発明の効果】
【０００７】
本発明に係るディスクカートリッジは、主面板を成型する際に固定金型に保持させるためのアンカー片が枠体に覆われるので、全体の見栄えが悪化することを防止することができる。また、アンカー片の部分を主面板を成型する際のゲート部分とすることによって、外観上、主面板を成型するためのゲートを見えなくすることができる。
【発明を実施するための最良の形態】
【０００８】
以下、本発明を適用したディスクカートリッジについて、図面を参照して説明する。
【０００９】
本発明に係るディスクカートリッジ１を説明すると、このディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。上下ハーフ３，４は、二色モールド成型体であり、外側が不透明で内側が透明となるように成型されている。
【００１０】
このディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００１１】
このディスクカートリッジ１を構成するカートリッジ本体５は、図１乃至図３に示すように、このディスクカートリッジ１が装脱されるディスク記録及び／又は再生装置への挿入端側となる一の側面である前面側を円弧状部７として形成している。この円弧状部７は、図３に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００１２】
カートリッジ本体５の円弧状部７に連続する相対向する側面は、互いに平行な側面８，９として形成され、円弧状部７と対向する背面側は、なだらかに湾曲して連続する湾曲部１０として形成されている。すなわち、カートリッジ本体５の背面側は、カートリッジ本体５の前面側に構成された半円状の円弧状部７より大きな半径である円弧状部７より曲率が小さい湾曲部１０とされている。
【００１３】
ディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、スロットイン方式のディスク記録及び／又は再生装置へ挿入操作が容易となるばかりか、確実な挿入操作を実現できる。更に、このディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００１４】
そして、本発明に係るディスクカートリッジ１は、カートリッジ本体５の下面側を構成する下ハーフ４の中央部に、図２及び図３に示すように、カートリッジ本体５に収納した光ディスク２の中心部に形成したセンター穴１１及びその周縁を外方に臨ませる円形の駆動部用開口部１２が形成されている。駆動部用開口部１２は、ディスクカートリッジ１が装着されるディスク記録及び／又は再生装置側に設けられたディスク回転駆動機構の一部を構成する例えばターンテーブルが進入する。すなわち、駆動部用開口部１２は、光ディスク２を回転駆動させるための機構の一部が進入する開口部として機能する。
【００１５】
また、下ハーフ４には、図２及び図３に示すように、記録及び／又は再生用開口部を構成するヘッド部用開口部１３が形成されている。ヘッド部用開口部１３は、カートリッジ本体５の一方の側面８側に位置し、駆動部用開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図２に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、駆動部用開口部１２に連続することなく、駆動部用開口部１２との間に連接部を残して形成されているので、下ハーフ４の機械的強度を維持することができる。
【００１６】
この下ハーフ４は、二色モールド成型により、不透明な外枠４ａの内側に透明板４ｂが配設されてなり、内部の光ディスク２を目視することができるようになっている。
【００１７】
下ハーフ４に突き合わせ結合されてカートリッジ本体５の上面側を構成する上ハーフ３の光ディスク２と対向する面は、図１に示すように、開口部等が設けられることなく平坦な面とされている。この上ハーフ３は、不透明な外枠３ａの内側に透明板３ｂが配設され、内部に収納した光ディスクを目視することができるようになっている。例えば、ユーザは、光ディスク２の表面に印刷された内容を、上ハーフ３を介して見ることができる。
【００１８】
カートリッジ本体５の周面を構成する外周壁１５は、上下ハーフ３，４の突き合わせ面側に形成した立ち上がり周壁１６，１７を突き合わせることによって形成される。上下ハーフ３，４は、立ち上がり周壁１６，１７の先端面を、熱又は超音波溶着することにより一体的に結合される。
【００１９】
また、下ハーフ４には、図２及び図３に示すように、このディスクカートリッジ１をディスク記録及び／又は再生装置に装着したとき、装着基準面となり、装置側に設けた位置決めピンが係合する第１及び第２の位置決め孔１８，１９が設けられている。なお、第１及び第２の位置決め孔１８，１９は、円形に形成されたディスク収納部６と湾曲部１０とにより囲まれた左右の各領域にそれぞれ設けられている。
【００２０】
なお、ディスクカートリッジ１は、収納した光ディスク２の記録容量や光ディスク２の種類を識別するための複数のディスク識別部を下ハーフ４側に形成するようにしても良い。例えば、ディスク識別部は、図２及び図３に示すように、ディスク収納部６と湾曲部１０とにより囲まれた領域内に形成することができる。ここで、ディスク収納部６と湾曲部１０とにより囲まれた領域に設けられるディスク識別部は、下ハーフ４の一部に透孔若しくは有底の凹部を形成し、ディスク収納部６に塵埃等が進入しないように構成すると良い。
【００２１】
以上のように構成されたディスクカートリッジ１は、ヘッド部用開口部１３を開閉するシャッタ部材を設けることなく構成され、部品点数の削減が図られている。ところで、このディスクカートリッジ１が互換性の図られたシャッタ部材が取り付けられているディスクカートリッジも装着可能なディスク記録及び／又は再生装置に設けられるカートリッジ装着装置に装着されると、カートリッジ装着装置のディスクカートリッジ１を保持するカートリッジホルダに設けられたシャッタ開放操作機構によりカートリッジ本体５の一方の側面８が直接押圧された状態になる。さらに、カートリッジホルダの所定位置に装着された状態においても、シャッタ開放操作機構による押圧力を受けたままの状態におかれる。すなわち、ディスクカートリッジ１は、シャッタ部材が存在しないので、シャッタ開放操作機構が直接カートリッジ本体５を押圧してしまう。
【００２２】
そこで、ディスクカートリッジ１は、ディスクカートリッジ１と互換性の図られたシャッタ部材を備えたディスクカートリッジが装着されるカートリッジホルダに装着されたとき、シャッタ開放操作機構から押圧力を回避するための押圧力回避部２３が設けられている。押圧力回避部２３は、ディスクカートリッジ１がカートリッジホルダの所定装着位置に装着されたとき、シャッタ開放操作機構と対向する位置に設けられる。
【００２３】
押圧力回避部２３は、カートリッジ本体５の一方の側面８の下ハーフ４側の部分に凹部として形成されている。この押圧力回避部２３は、シャッタ開放操作機構からの押圧力を回避するためのものであるので、シャッタ開放操作機構がカートリッジ本体５に接触しないようにするための形状及び深さの凹部として形成されている。
【００２４】
すなわち、押圧力回避部２３は、シャッタ開放操作機構が一旦係合したとき容易に抜けないようにするため凹部として形成されている。そして、押圧力回避部２３が係合するときには、シャッタ開放操作機構の板バネを弾性変位させながら押圧力回避部２３の一方の立ち上がり部を乗り上げるようにして係合していく。したがって、このディスクカートリッジ１は、ヘッド部用開口部１３を開閉するシャッタ部材が設けられ、このシャッタ部材を閉塞位置に保持しておく機構が設けられたディスクカートリッジが装着されるカートリッジ装着装置に装着した場合にも、シャッタ開放操作機構からの負荷を受けることなく安定した状態で装着することができる。
【００２５】
以上のようなディスクカートリッジ１は、上述のように、カートリッジ本体５を構成する上下ハーフ３，４は、二色モールド成型されてなり、内部の光ディスク２を外側から目視することができるようになっている。そこで、以下、下ハーフ４を例に取り、その構成を説明する。
【００２６】
この下ハーフ４は、図４乃至図６に示すように、不透明の外枠４ａの内側に、透明板４ｂが配設されてなる。不透明の外枠４ａは、例えば、不透明のポリカーボネート等の第１の合成樹脂で成型され、透明板４ｂは、透明なポリカーボネート等の第２の合成樹脂で成型される。
【００２７】
不透明な外枠４ａは、透明板４ｂが配設されるほぼ全体に亘って形成された開口部３１が形成されている。外枠４ａの周囲には、カートリッジ本体５の外周壁１５を構成する立ち上がり周壁１７が形成されている。この立ち上がり周壁１７は、カートリッジ本体５の円弧状部７側において、光ディスク２を収納するディスク収納部６を構成する。また、下ハーフ４には、カートリッジ本体５の湾曲部１０側の立ち上がり周壁１７の内側に、略円弧をなしてディスク収納部６を構成するディスク収納壁６ａが形成されている。立ち上がり周壁１７の先端面には、図５に示すように複数箇所に、第１の溶着リブ１７ａが突出して形成されている。この第１の溶着リブ１７ａは、例えば立ち上がり周壁１７の先端面から略０．２ｍｍ、先鋭状に突出するように形成されている。
【００２８】
立ち上がり周壁１７は、ヘッド部用開口部１３に隣接する端部１７ｂが他の部分より僅かに高く形成されている。例えば、他の部分の立ち上がり周壁１７の高さを２．１５ｍｍとしたとき、この端部１７ｂの高さは、これより０．１ｍｍ程度高くなるように形成されている。この端部１７ｂは、第１の溶着リブ１７ａが形成されていないが、他の部分より高く形成されていることで、相手となる上ハーフ３の立ち上がり周壁１６のヘッド部用開口部１３に隣接する端部と特に高い圧力で圧接されることになり、隙間がなくなり、ディスク収納部６に塵埃等が侵入することを防止することができる。
【００２９】
なお、この端部１７ｂの内側に位置するディスク収納部６を構成するディスク収納壁６ａのヘッド部用開口部１３に隣接する端部６ｂには、第２の溶着リブ６ｃが形成されている。したがって、ヘッド部用開口部１３近傍においても、上下ハーフ３，４を確実に結合することができる。
【００３０】
カートリッジ本体５の湾曲部１０側に形成されているディスク収納部６を構成するディスク収納壁６ａには、図４に示すように、ヘッド部用開口部１３から離れた第２の位置決め孔１９の近傍に第１の切欠部３２が形成されている。この第１の切欠部３２には、下ハーフ４を二色モールド成型する際、透明板４ｂを可動金型に食い込ませる第１のアンカー片３５が結合される。また、ディスク収納壁６ａには、図４に示すように、ヘッド部用開口部１３よりの第１の位置決め孔１８の近傍に第２の切欠部３３が形成されている。この第２の切欠部３３には、下ハーフ４を二色モールド成型する際、第１のアンカー片３５と共に、透明板４ｂを可動金型に食い込ませる第２のアンカー片３６が結合される。
【００３１】
更に、外枠４ａには、立ち上がり周壁１７とディスク収納壁６ａとに囲まれた領域であって、ヘッド部用開口部１３から離れた第２の位置決め孔１９の近傍に、外枠４ａを射出成型する際の外枠ゲート部３４が形成されている。この外枠ゲート部３４は、下ハーフ４の内面に設けられることで、ディスクカートリッジ１の外観上見えなくすることができる。また、外枠ゲート部３４は、ヘッド部用開口部１３の反対側に設定することで、容易に外枠４ａを成型するための第１の合成樹脂をキャビティー内に充填することができる。
【００３２】
以上のような外枠４ａには、透明板４ｂが開口部３１を閉塞するように取り付けられている。この透明板４ｂには、上述した第１の切欠部３２に挿入される第１のアンカー片３５が形成されている。この第１のアンカー片３５は、下ハーフ４を二色モールド成型をする際に透明板４ｂを可動金型に食い込ませるためのものである。この第１のアンカー片３５には、透明板４ｂを射出成型する際の透明板ゲート部３５ａが形成されている。また、透明板４ｂには、上述した第１の切欠部３３に挿入される第２のアンカー片３６が形成されている。この第２のアンカー片３６も、下ハーフ４を二色モールド成型をする際に透明板４ｂを可動金型に食い込ませるためのものである。
【００３３】
次に、外枠４ａに透明板４ｂを組み合わせた下ハーフ４を二色モールド成型する際の成型方法を説明する。この下ハーフ４の成型装置１０１は、図７（Ａ）に示すように、一次側の樹脂供給シリンダ１０２を接続した一次側の固定金型１０３に可動金型１０４を型締めし、透明板４ｂの透明な第２の合成樹脂１０５を射出成型した後、一次側の固定金型１０３から可動金型１０４を離型及びゲートカットする。
【００３４】
ここで、透明板４ｂを成型するに当たっては、ヘッド部用開口部１３から離れた第１のアンカー片３５の透明板ゲート部３５ａの部分より透明な第２の合成樹脂１０５が射出される。透明な第２の合成樹脂１０５は、透明板ゲート部３５ａの部分より図４中矢印Ｘに示すように、駆動部用開口部１２の両側から円弧状部７側に流れ合流する。また、一次側の固定金型１０３から可動金型１０４を離型するに当たっては、透明板４ｂは、第１及び第２のアンカー片３５，３６によって可動金型１０４に保持されることになるが、透明板４ｂは、特に、ヘッド部用開口部１３から離れた機械的強度の高い位置に第１のアンカー片３５が形成されていることから、固定金型１０３から可動金型１０４を離型する際に、変形し又は破損することを防止することができる。
【００３５】
次いで、成型装置１０１は、この可動金型１０４を二次側の固定金型１０６側に移動させた後、図７（Ｂ）に示すように、この二次側の固定金型１０６に可動金型１０４を型締めし、第２の合成樹脂１０５で成型された透明板４ｂの周囲に外枠４ａの不透明な第１の合成樹脂１０７を射出成型し、二次側の固定金型１０６可動金型１０４を離型及びゲートカットする。なお、可動金型１０４には、第１の合成樹脂１０７を供給する二次側の樹脂供給シリンダ１０８が接続されている。
【００３６】
ここで、透明板４ｂに枠体４ｂを成型するに当たっては、図４に示すように、ヘッド部用開口部１３から離れた外枠ゲート部３４の部分より不透明な第１の合成樹脂１０７が射出される。不透明な第１の合成樹脂１０７は、外枠ゲート部３４の部分より図４中矢印Ｙ方向に流れ、第１及び第２のアンカー片３５，３６を覆い、更に、ヘッド部用開口部１３の両端部にまで流れることになり、固化したとき、外枠４ａは、透明板４ｂと一体化される。
【００３７】
以上のような下ハーフ４の製造方法によれば、透明板４ｂを成型した際に、ヘッド部用開口部１３から離れた機械的硬度のある位置の第１のアンカー片３５、更には第２のアンカー片３６によって、固定金型１０３からの離型時に可動金型１０に保持されることから、透明板４ｂが変形し又は破損することを防止することができる。また、透明板４ｂに外枠４ａを成型するとき、第１及び第２のアンカー片３５，３６は、外枠４ａによって覆われることになり、これによって、二色モールド成型に必要なアンカー片３５，３６を外観上隠すことができる。また、透明板４ｂを成型する際の透明板ゲート部３５ａは、第１のアンカー片３５に形成されることから、下ハーフ４の完成時、外観上に現れないようにすることができる。
【００３８】
以上、下ハーフ４を二色モールド成型する場合を説明したが、この方法は、上ハーフ３を二色モールド成型する際にも適用することができる。また、本発明では、ヘッド部用開口部１３から離れた位置の第１のアンカー片３５を透明板４ｂに設ければ、特に、第２のアンカー片３６を設ける必要はない。また、第２のアンカー片１３を設ける場合にも、その位置は、特に限定されるものではない。
【００３９】
以上のように構成されたディスクカートリッジ１は、カートリッジ本体５の円弧状部７を挿入端として記録及び／又は再生装置に挿入され、装着部に位置決めして装着される。これと同時に、ディスクカートリッジ１に収納された光ディスク２は、装着部に設けられたターンテーブルに装着され、ディスク回転駆動機構によって回転駆動可能な状態となる。このとき、開放されたヘッド部用開口部１３を介して光ヘッド部が光ディスク２に対向する。この状態でディスク回転駆動機構を駆動し、光ヘッド部を動作させることにより、光ディスク２に記録された情報信号の再生が可能となる。
【００４０】
上述した説明では、本発明を再生専用の光ディスクを収納した例を挙げて説明したが、本発明は、記録再生が可能な光ディスク等、その他のディスク状記録媒体やクリーニングディスクを収納したディスクカートリッジにも適用でき、上述したディスクカートリッジに適用した場合と同様の利点を得ることができる。
【００４１】
また、上述した説明において、ディスクカートリッジの一層の小型化を実現するため、カートリッジ本体として前面側を円弧状部としたものを用いた例を挙げて説明したが、本発明は、このようなカートリッジ本体を用いるものに限定されることなく、従来広く用いられている矩形状のカートリッジ本体を用いたディスクカートリッジにも適用することができる。
【図面の簡単な説明】
【００４２】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】本発明に係るディスクカートリッジを下ハーフの平面図である。
【図５】上記下ハーフの立ち上がり周壁の断面図である。
【図６】図４に示した下ハーフのＡ−Ａ断面図である。
【図７】下ハーフの成型装置を示す図であり、（Ａ）は、透明板の成型時、（Ｂ）は、外枠の成型時を示す。
【符号の説明】
【００４３】
１  ディスクカートリッジ、２  光ディスク、３  上ハーフ、４  下ハーフ、４ａ  外枠、４ｂ  透明板、５  カートリッジ本体、１３  ヘッド部用開口部、３１  開口部、３２  第１の切欠部、３３  第２の切欠部、３４  外枠ゲート部、３５  第１のアンカー片、３５ａ  透明板ゲート部、３６  第２のアンカー片、１０１  成型装置、１０２  一次側の樹脂供給シリンダ、１０３  一次側の固定金型、１０４  可動金型、１０５  第２の合成樹脂、１０６  二次側の固定金型、１０７  第１の合成樹脂、１０８  二次側の樹脂供給シリンダ
【図１】
2006172521.tif 000003
【図２】
2006172521.tif 000004
【図３】
2006172521.tif 000005
【図４】
2006172521.tif 000006
【図５】
2006172521.tif 000007
【図６】
2006172521.tif 000008
【図７】
2006172521.tif 000009